(57)【特許請求の範囲】
【請求項１】
回路ブロック間が複数の信号ラインで相互接続され、各信号ラインを流れるデータの同期を取ってデータを通信する際に、該信号ラインにノイズ除去素子を挿入して前記信号ラインを流れる高周波信号のノイズを低減するノイズ除去装置において、
前記複数の信号ラインの少なくとも１本には前記ノイズ除去素子としてインダクタを使用し、残りの信号ラインには抵抗を使用し、前記抵抗は前記インダクタの所定の低周波数領域におけるインピーダンスに相当する抵抗値が設定されているとともに、前記インダクタが接続される信号ラインは高調波成分周波数を最も多く含む信号ラインとすることを特徴とするノイズ除去装置。
【発明の詳細な説明】
【０００１】
【発明の属する技術分野】
本発明はノイズ除去装置に関し、例えば集積回路間における高周波信号路のノイズを低減するノイズ除去装置に関する。
【０００２】
【従来の技術】
最近の電子機器は、小型化、軽量化および高性能化が顕著である。そのために、電子回路は、個別電子部品ではなく集積回路（IC）を多用して構成される。斯かる集積回路間の信号ライン又はデータ通信ラインには高周波信号（データ）が流れることとなる。これら高周波信号が流れる信号ラインには外部からノイズが混入し又は周囲の回路へノイズを混入させることとなる。特に、信号が高周波デジタルデータの如きパルス状の信号の場合には、信号の過渡部において発生するノイズが顕著である。
【０００３】
斯かる技術分野における従来技術は、例えば特開平１１−１２７１２３号公報の「高周波ノイズの除去方法および高周波ノイズ除去装置」に開示されている。即ち、従来の高周波ノイズ除去装置は、図４（A）又は（B）に示す如く、構成されているのが一般的である。これら従来の高周波ノイズ除去装置３０A又は３０Bは、集積回路３１および３２間を相互接続する複数の信号ライン４０にそれぞれ共通の（同じ）回路素子を使用している。
【０００４】
即ち、図４（A）の高周波ノイズ除去装置３０Aでは、集積回路３１および３２間を相互接続する信号ライン４０に、それぞれ抵抗４１〜４３を直列接続している。これら抵抗４１〜４３の抵抗値R１〜R３は、実質的に等しい値を有する。一方、図４（B）に示す高周波ノイズ除去装置３０Bでは、信号ライン４０に直列にインダクタ４４〜４６を直列接続している。
【０００５】
【発明が解決しようとする課題】
高周波ノイズ除去装置３０Aの如く信号ライン４０に抵抗４１〜４３を使用すると、小型安価ではある。しかし、それらの抵抗値R１〜R３を大きくすると、信号ライン４０中を伝送される高周波信号波形になまりが生じる。従って、抵抗値R1~R3を小さくすると、ノイズが十分除去されないので、ノイズ除去効果が少ないという課題があった。
【０００６】
一方、高周波ノイズ除去回路３０Bは、空心コイル又はフェライト等の磁気コアを使用するインダクタ４４〜４６を使用する。インダクタは、高周波でインピーダンスが増加するので、高周波ノイズの除去に有効である。しかし、希望するインダクタンスを得るには抵抗よりも大きなスペースを占め且つ高価になるという欠点を有する。特に、フェライトコア等を使用すると占有面積が増加し、コスト高になるという課題を有する。
【０００７】
【発明の目的】
本発明は、従来技術の上述した課題に鑑みなされたものであり、比較的小型且つ安価に良好なノイズ除去特性が実現可能なノイズ除去装置を提供することを目的とする。
【０００８】
【課題を解決するための手段】
前述の課題を解決するため、本発明によるノイズ除去装置は、次のような特徴的な構成を採用している。
【０００９】
（１）回路ブロック間が複数の信号ラインで相互接続され、各信号ラインを流れるデータの同期を取ってデータを通信する際に、該信号ラインにノイズ除去素子を挿入して前記信号ラインを流れる高周波信号のノイズを低減するノイズ除去装置において、
前記複数の信号ラインの少なくとも１本には前記ノイズ除去素子としてインダクタを使用し、残りの信号ラインには抵抗を使用し、前記抵抗は前記インダクタの所定の低周波数領域におけるインピーダンスに相当する抵抗値が設定されているとともに、前記インダクタが接続される信号ラインは高調波成分周波数を最も多く含む信号ラインとするノイズ除去装置。
【００１３】
【発明の実施の形態】
以下、本発明によるノイズ除去装置の好適実施形態の構成および動作を、添付図面を参照して詳細に説明する。
【００１４】
先ず、図１は、本発明によるノイズ除去装置の第１実施形態の構成図である。このノイズ除去装置１０Aは、高周波で動作する回路ブロックである集積回路１１および１２と、これら両集積回路１１、１２間を相互接続し、高周波信号が流れる複数（図示の例では３本）の信号（又はデータ通信）ライン２０により構成され、各信号ラインを流れるデータの同期を取ってデータ通信が為される。これら複数の信号ライン２０に接続されるノイズ除去（又は軽減）素子として異なる種類の素子を使用する。
【００１５】
即ち、図１に示す第１実施形態のノイズ除去装置１０Aにおいては、３本の信号ライン２０のうち高調波周波数成分が最も多く、他に影響を与える１本の信号ラインには、インダクタ（L４）２１を信号ラインに直列接続し、他の２本の信号ラインにはそれぞれ抵抗（R４）２２および（R５）２３を直列接続する。
【００１６】
図２は、図１に示すノイズ除去装置１０Aの信号ライン２０に接続されるインダクタ２１の周波数（横軸）対インピーダンス（縦軸）特性図である。このインダクタ２１は、好ましくはフェライトコアを使用する高周波ノイズフィルタ用インダクタであるが、空心コイルを使用してもよい。図２に示す如く、斯かるインダクタ２１のインピーダンスは、低周波では実質的に０であり、周波数が高くなるとインピーダンスが増加する（しかし、周波数が更に高くなると、分布容量（キャパシタンス）等によりインピーダンスは低下する）。
【００１７】
図１に示すノイズ除去装置１０Aにおいて、集積回路１１および１２は、図２中のaで示す周波数領域（データ通信周波数）で動作するものとする。そして、インダクタ２１は、図２中にbで示す集積回路１１および１２の高調波成分周波数で所定の高インピーダンスを有するように選定される。そこで、インダクタ２１のインピーダンスが実質的に０又は極めて小さいデータ通信周波数領域aで抵抗２２および２３が機能するようにする。言い換えると、これら抵抗は、インダクタ２１の低周波数領域ａにおけるインピーダンス分相当の抵抗値が設定されている。
【００１８】
次に、図３は、本発明によるノイズ除去装置の第２実施形態の構成図である。このノイズ除去装置１０Bも、上述したノイズ除去装置１０Aと同様に、集積回路１１および１２と、異なる種類のノイズ除去素子が接続された複数の信号ライン２０とにより構成される。例えば３本の信号ラインのうち、高調波周波数成分の多い２本の信号ラインにインダクタ（L５）２４および（L６）２５が直列接続され、残りの１本の信号ラインに抵抗（R６）２６が直列接続される。
【００１９】
以上、本発明によるノイズ除去装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。上述の実施形態では３本の信号ラインを有するが、４本以上の信号ラインがある場合でも同様に、異なる種類のノイズ除去素子を使用する。即ち、少なくとも１本の信号ラインにインダクタを使用し、残りの信号ラインに抵抗を使用する。
【００２０】
【発明の効果】
以上の説明から理解される如く、本発明のノイズ除去装置によると、次の如き実用上の顕著な効果が得られる。即ち、回路ブロック（集積回路）間の信号ライン又はデータ通信ラインの高調波成分周波数の最も多いライン（他に影響を与えるライン）に高価な部品を使用し、その他のラインには安価な部品を使用することが可能であるので、高調波成分の除去能力（性能）は、全ての信号ラインに高価な部品を使用する場合と同等の効果が得られる。
【００２１】
例えば、本発明をFMラジオに適用した場合には、全ての信号ラインにインダクタを使用する場合および本発明により最も高調波成分の多い信号ラインにのみインダクタを使用する場合共に、実験の結果、FMラジオ感度抑圧の改善は、10dＢμVで実質的に同等であった。
【図面の簡単な説明】
【図１】本発明によるノイズ除去装置の第１実施形態の構成図である。
【図２】インダクタの周波数対インピーダンス特性を示す。
【図３】本発明によるノイズ除去装置の第２実施形態の構成図である。
【図４】従来の高周波ノイズ除去装置の構成図である。
【符号の説明】
１０Ａ、１０Ｂ  ノイズ除去装置
１１、１２  回路ブロック（集積回路）
２０  信号（データ通信）ライン
２１、２４、２５  インダクタ
２２、２３、２６  抵抗
【図１】
0003806652.tif 000002
【図２】
0003806652.tif 000003
【図３】
0003806652.tif 000004
【図４】
0003806652.tif 000005